(57)【要約】【課題】シート体に適正な形状の切り込み線を形成することで、頬及び鼻の下とともに鼻翼にもシート体を確実に密着させることができるようにする。【解決手段】フェイスマスク１０に、顔面の眉間に対向する眉間対向部１、横方向の中央部で顔面の鼻梁に対向する位置に縦方向に形成された切り込み線２、略三角形形状を呈し、頂点が切り込み線２の下端に連続する孔部３、顔面の鼻の下に対向する鼻の下対向部４、顔面の右及び左の鼻翼のそれぞれに対向する鼻翼対向部５Ａ及び部５Ｂ、顔面の右及び左の口角から頬にかけてのそれぞれに対向する第１の頬対向部６Ａ及び第２の頬対向部６Ｂ、を備えている。第１の頬対向部６Ａ及び第２の頬対向部６Ｂをそれぞれ右頬及び左頬に密着させると、顔面の鼻梁と頬との起伏によって第１の鼻翼対向部５Ａと第２の鼻翼対向部５Ｂとが互いに離間し、左右の鼻翼３２に密着する。【選択図】図２
2008188085.tif 000002
【特許請求の範囲】
【請求項１】
液体を含浸させて顔面に載置される化粧用シート体において、顔面の左右の頬のそれぞれに対向する第１及び第２の頬対向部と、前記第１及び第２の頬対向部のそれぞれに連続して顔面の左右の鼻翼のそれぞれに対向する第１及び第２の鼻翼対向部と、横方向の中央部に形成されて前記第１及び第２の鼻翼対向部を互いに分離する分離形状と、を設けた化粧用シート体。
【請求項２】
顔面の左右のこめかみのそれぞれに対向する第１及び第２のこめかみ対向部をさらに備えた請求項１に記載の化粧用シート体。
【請求項３】
顔面に載置した際に顔面の鼻孔に対向しない非対向形状を設けた請求項１又は２に記載の化粧用シート体。
【請求項４】
前記分離形状は縦方向に形成されて下端部が前記非対向形状に達する切り込み線である請求項３に記載の化粧用シート体。
【請求項５】
前記非対向形状が、頂点が前記切り込み線の下端部に連続する略三角形状の孔部である請求項３又は４に記載の化粧用シート体。
【発明の詳細な説明】
【技術分野】
【０００１】
本発明は、顔の皮膚に美容液を供給する際に、顔面に載置して使用されるウェットマスク等の化粧用シート体に関する。
【背景技術】
【０００２】
従来より、顔の皮膚に美容液を供給する際に使用される美容用具として、化粧用シート体であるフェイスマスクが使用されている（例えば、特許文献１参照。）。フェイスマスクは、液体を含浸させて顔面に載置される。
【０００３】
フェイスマスクは、不織布等の平面状のシート体において顔の各部に対向する部分に、孔や切り込み線等の特定の形状を形成して構成されている。例えば、目の周囲及び鼻の周囲に対向する部分に切り込み線が形成され、口に対向する部分に孔が形成されている。また、目に対向する部分に孔を形成したものもある。
【０００４】
また、顔面は３次元の凹凸を有するにも関わらず、フェイスマスクは平面状のシート体を素材として形成されているため、顔面の全面に完全に密着させることが困難である。特に、鼻は周囲の眉間、頬及び鼻の下から隆起しており、平面状のシート体をそのまま顔面に載置すると、シート体の中央部は最も高い鼻梁のみに接触し、眉間、頬及び鼻の下における広い範囲に十分に密着させることができなくなる。
【０００５】
そこで、従来のフェイスマスクでは、鼻に対向する部分に略Ｕ字型の切り込み線を形成し、シート体の中央部が鼻梁だけでなく眉間、頬及び鼻の下にも十分に当接するようにしている。
【特許文献１】特開２００２−１７２０２２号公報
【発明の開示】
【発明が解決しようとする課題】
【０００６】
しかしながら、周囲の眉間、額及び鼻の下から隆起した鼻は、平面投影面積と実際の表面積とが大きく異なる。このため、シート体は、比較的凹凸の少ない眉間、頬及び鼻の下に密着させると、鼻の表面の一部に密着させることができなくなる。フェイスマスクの鼻に対向する部分に略Ｕ字型の切り込み線を形成した場合、切り込み線の内側の部分を鼻梁近傍に密着させることはできるが、切り込み線の外側の部分が頬の鼻翼から離れた部分に位置する。鼻翼は脂質等によって汚れ易く美顔の重要なポイントであるが、この部位にフェイスマスクを密着させることができず、フェイスマスクから化粧料を供給することができなくなる。
【０００７】
この発明の目的は、シート体に適正な形状の切り込み線を形成することで、頬及び鼻の下とともに鼻翼にもシート体を確実に密着させることができるようにし、美顔の重要なポイントに十分な化粧料を供給することができる化粧用シート体を提供することにある。
【課題を解決するための手段】
【０００８】
この発明の化粧用シート体は、液体を含浸させて顔面に載置される化粧用シート体であって、第１及び第２の頬対向部、第１及び第２の鼻翼対向部、分離形状を備えている。第１及び第２の頬対向部は、顔面の左右の頬のそれぞれに対向する。第１及び第２の鼻翼対向部は、第１及び第２の頬対向部のそれぞれに連続して顔面の左右の鼻翼のそれぞれに対向する。分離形状は、横方向の中央部に形成されて第１及び第２の鼻翼対向部を互いに分離する。
【０００９】
したがって、シート体の横方向の中央部が鼻梁に対向するようにシート体を顔面に載置し、第１及び第２の頬対向部を顔面の左右の頬に密着させた後、第１及び第２の鼻翼対向部を互いに離間させて左右の鼻翼に密着させることができる。顔面にシート体を載置した時に、シート体に含浸されている液体が鼻梁に塗布される。この後、分離形状で第１及び第２の鼻翼対向部を分離すると、左右の頬及び左右の鼻翼にもシート体に含浸されている液体が供給される。
【００１０】
シート体には、顔面の左右のこめかみのそれぞれに対向する第１及び体２のこめかみ対向部を備えてもよい。第１及び第２の頬対向部を左右の頬に密着させた後に第１及び第２のこめかみ対向部を上方に引き上げながら左右のこめかみに密着させることで、左右の頬の皮膚を引き上げることができる。
【００１１】
シート体には、顔面に載置した際に顔面の鼻孔に対向しない非対向形状を設けてもよい。顔面にシート体を載置した際にも鼻孔が開放され、呼吸を行うことができる。
【００１２】
分離形状は、縦方向に形成されて下端部が非対向形状に達する切り込み線としてもよい。切り込み線を挟んで配置された第１の鼻翼対向部と第２の鼻翼対向部とを容易に分離できる。
【００１３】
非対向形状は、頂点が切り込み線の下端部に連続する略三角形状の孔部としてもよい。鼻孔を開放しつつ第１の鼻翼対向部と第２の鼻翼対向部とを容易に分離できる。
【発明の効果】
【００１４】
この発明の化粧用シート体によれば、シート体の横方向の中央部が鼻梁に対向するようにシート体を顔面に載置し、第１及び第２の頬対向部を顔面の左右の頬に密着させた後、第１及び第２の鼻翼対向部を互いに離間させて左右の鼻翼に密着させることができる。顔面にシート体を載置した時に、シート体に含浸されている液体を鼻梁に塗布することができる。この後、分離形状で第１及び第２の鼻翼対向部を分離すると、左右の頬及び鼻の下とともに左右の鼻翼にもシート体を確実に密着させることができ、美顔の重要なポイントに十分な化粧料を供給することができる。
【発明を実施するための最良の形態】
【００１５】
図１は、この発明の実施形態に係る化粧用シート体であるフェイスマスクを示す平面図である。この実施形態に係るフェイスマスク１０は、化粧水等の液剤化粧料や水を含浸した状態で、一例として、人間の眉間から口角までの範囲に載置される。フェイスマスク１０は、不織布、織布又は編布のシート体を素材として、打ち抜き加工によって形成される。フェイスマスク１０は、眉間対向部１、切り込み線２、孔部３、鼻の下対向部４、第１の鼻翼対向部５Ａ、第２の鼻翼対向部５Ｂ、第１の頬対向部６Ａ、第２の頬対向部６Ｂ、第１のこめかみ対向部７Ａ、第２のこめかみ対向部７Ｂを備えている。第１のこめかみ対向部７Ａ、第２のこめかみ対向部７Ｂは、省略することもできる。
【００１６】
眉間対向部１は、顔面の眉間に対向する。切り込み線２は、この発明の分離形状であり、フェイスマスク１０の横方向の中央部で顔面の鼻梁に対向する位置に縦方向に形成されている。孔部３は、この発明の非対向部であり、略三角形形状を呈し、頂点が切り込み線２の下端に連続する。鼻の下対向部４は、顔面の鼻の下に対向する。第１の鼻翼対向部５Ａは、顔面の右の鼻翼に対向する。第２の鼻翼対向部５Ｂは、顔面の左の鼻翼に対向する。第１の頬対向部６Ａは、顔面の右側の頬から口角にかけて対向する。第２の頬対向部６Ｂは、顔面の左側の頬から口角にかけて対向する。第１のこめかみ対向部７Ａは、顔面の右側の目尻からこめかみにかけて対向する。第２のこめかみ対向部７Ｂは、顔面の左側の目尻からこめかみにかけて対向する。
【００１７】
図２は、上記フェイスマスクの使用状態を示す図である。フェイスマスク１０は、化粧水等の液剤化粧料や水を含浸させた後に顔面に載置される。このとき、図２（Ａ）に示すように、まず、フェイスマスク１０の眉間対向部１を顔面の眉間に密着させる。次いで、切り込み線２を顔面の鼻梁に密着させ、さらに、第１の頬対向部６Ａ及び第２の頬対向部６Ｂをそれぞれ右側の頬から口角にかけて及び左側の頬から口角にかけて密着させる。顔面の鼻梁と頬との起伏により、第１の鼻翼対向部５Ａと第２の鼻翼対向部５Ｂとが互いに離間するように、切り込み部２が左右に分離する。
【００１８】
切り込み部２が左右に分離する際に、フェイスマスク１０の中央部が鼻の左右に接触し、鼻の全面に液体が塗布される。この後、第１の鼻翼対向部５Ａ及び第２の鼻翼対向部５Ｂをそれぞれ右側の鼻翼及び左側の鼻翼に密着させる。さらに、第１のこめかみ対向部７Ａ及び第２のこめかみ対向部７Ｂをそれぞれ上方に引き上げながら右側の目尻からこめかみにかけて及び左側の目尻からこめかみにかけて密着させていく。顔面の左右の口角から頬及び目尻を順に通ってこめかみに至る間の皮膚が上方に引き上げられ、法令線（鼻唇溝）が拡げられる。
【００１９】
最後に、鼻の下対向部４を鼻の下に密着させることで、図２（Ｂ）に示すように、フェイスマスク１０の全面が顔面に密着する。鼻梁３１にはフェイスマスク１０は密着しないが、切り込み部２が左右に分離する前にフェイスマスク１０の中央部が接触することで、鼻梁３１にも液体が塗布される。左右の鼻翼３２には、第１の鼻翼対向部５Ａ及び第２の鼻翼対向部５Ｂが密着する。皮脂等が溜まり易く、美顔のポイントとなる鼻翼３２に、十分な液体を供給することができる。また、孔部３から鼻孔３３が露出し、フェイスマスク１０によって呼吸が妨げられることはない。
【００２０】
第１の頬対向部６Ａ及び第２の頬対向部６Ｂを、それぞれ右側の頬から口角にかけて及び左側の頬から口角にかけて密着させた後、それぞれの端部を顔の中心側に折り返すことで、フェイスマスク１０の鼻翼や法令線に密着する部分の厚みを増やし、鼻翼や法令線に供給される液体量を増加させるようにしてもよい。
【００２１】
なお、例えば、図３に示すフェイスマスク２０のように、孔部３に代えて鼻孔３３に対向する部分に切り込み線２１を形成し、第１の鼻翼対向部１５Ａと第２の鼻翼対向部１５Ｂとが左右に分離することで、鼻孔３３に対向する部分を左右に分け、鼻孔３３が露出するようにしてもよい。また、第１の鼻翼対向部１５Ａと第２の鼻翼対向部１５Ｂとを分離するための分離形状は、切り込み線２に限るものではなく、略Ｊ字状の切り込み線２２，２３を鼻翼対向部１５Ａ，１５Ｂに形成してもよい。
【００２２】
さらに、額対向部２４、顎対向部２５を備えたものであってもよい。この場合には、目に対向する部分に、例えば略Ｕ字状の切り込み線２６，２７を形成し、口に対向する部分に孔部２８を形成する。
【図面の簡単な説明】
【００２３】
【図１】この発明の実施形態に係る化粧用シート体であるフェイスマスクを示す平面図である。
【図２】上記フェイスマスクの使用状態を示す図である。
【図３】上記フェイスマスクの別の例を示す図である。
【符号の説明】
【００２４】
１  眉間対向部
２  切り込み線
３  孔部
４  鼻の下対向部
５Ａ  第１の鼻翼対向部
５Ｂ  第２の鼻翼対向部
６Ａ  第１の頬対向部
６Ｂ  第２の頬対向部
１０  フェイスマスク
【図１】
2008188085.tif 000003
【図２】
2008188085.tif 000004
【図３】
2008188085.tif 000005